(57)【要約】従来の炭化水素潤滑剤に関して比較的高度な溶解性、難燃性、及び比較的一定の沸点を示す、ＨＦＣ−２４５ｆａとトランス−１，２−ジクロロエチレンとを含む組成物を提供する。また、前記組成物の使用も提供する。
2005520884.tif 000002
【特許請求の範囲】
【請求項１】
１，１，１，３，３−ペンタフルオロプロパンを約２０重量％〜約７５重量％及びトランス−１，２−ジクロロエチレンを約２５重量％〜約８０重量％含む組成物。
【請求項２】
１，１，１，３，３−ペンタフルオロプロパンを約２０重量％〜約７０重量％及びトランス−１，２−ジクロロエチレンを約３０重量％〜約８０重量％含む請求項１記載の組成物。  
【請求項３】
１，１，１，３，３−ペンタフルオロプロパンを約２５重量％〜約６５重量％及びトランス−１，２−ジクロロエチレンを約３５重量％〜約７５重量％含む請求項２記載の組成物。
【請求項４】
１，１，１，３，３−ペンタフルオロプロパンを約４０重量％〜約６０重量％及びトランス−１，２−ジクロロエチレンを約４０重量％〜約６０重量％含む請求項３記載の組成物。
【請求項５】
１，１，１，３，３−ペンタフルオロプロパンを約２０重量％〜約７５重量％及びトランス−１，２−ジクロロエチレンを約２５重量％〜約８０重量％含む請求項１記載の組成物。
【請求項６】
約１５℃〜約２０℃の沸点を有する請求項１記載の組成物。  
【請求項７】
約１５℃〜約１９℃の沸点を有する請求項２記載の組成物。  
【請求項８】
約１５℃〜約１８℃の沸点を有する請求項４記載の組成物。  
【請求項９】
該組成物が、難燃性である請求項１記載の組成物。
【請求項１０】
スプレーされる材料と、請求項１記載の組成物を含む噴射剤とを含むスプレー可能な組成物。  
【発明の詳細な説明】
【発明の開示】
【０００１】
関連出願に関する相互参照
本出願は、その内容を本願明細書に引用したものとする、２００２年３月１４日に米国特許商標庁に出願された米国仮特許出願第６０／３６３，９７８号に基づいて優先権を主張する。
【０００２】
発明の分野
本発明は、一般的に、ペンタフルオロプロパン組成物に関する。更に詳しくは、本発明は、ペンタフルオロプロパンと１，２−ジクロロエチレンとを含み且つ比較的一定の沸点を有する組成物、及びそれらの使用を提供する。
【０００３】
背景
ハイドロフルオロカーボンベースの組成物は、環境的に望ましくない傾向があるクロロフルオロカーボン（“ＣＦＣ”）組成物及び／又はヒドロクロロフルオロカーボン（“ＨＣＦＣ”）組成物の代替として関心が持たれている。特に、ヒドロフルオロカーボン（“ＨＦＣ”）と非ＨＦＣ流体との混合物を含む組成物は、エアゾール又は他のスプレー可能な組成物における噴射剤としての使用を含む広範な用途での使用について関心が持たれていることを出願人は認めた。不都合なことに、更に、出願人は、エアゾールで使用するための典型的なＨＦＣ／非ＨＦＣ混合物を適応させることに関連のある多くの短所も認めた。
【０００４】
エアゾールにおける典型的なＨＦＣ／非ＨＦＣ混合物の使用と関連のある一つの短所は、様々なＨＦＣ／非ＨＦＣ混合物（同じ成分を含むが、それらの成分の相対濃度がほんのわずかに異なっている）が、極めて異なる特性を有するスプレー可能な生成物を形成する傾向がある点である。例えば、エアゾール及び他の加圧されたスプレー可能な生成物の重要な特性とは、スプレーそれ自体の性質である。スプレーは、例えば「霧」対「流れ（ｓｔｒｅａｍ）」又は「乾式」対「湿式」として特徴付けることができる。エアゾールのスプレー特性はいくつかのファクターに左右されるが、最も重要なファクターは圧力である。エアゾール又は他のスプレー可能な生成物の圧力変化によってスプレー特性が有意に変化し得ることは公知である。例えば、圧力が高くなればなるほど、一般的に、より霧状のスプレーが生じるが、圧力が低下すればするほど、より流状のスプレーが生じる。典型的なエアゾールの圧力は、配合物における噴射剤の量とタイプ、及び配合物における溶媒（一種又は複数種）の量とタイプの関数である。高沸点低圧溶媒を配合物中に混和させると、完成品の圧力が低下する傾向があり、一方、低沸点高圧溶媒を混和させると、完成品の圧力が上昇する傾向がある。
【０００５】
不都合なことに、当業において公知なように、ＨＦＣ／非ＨＦＣ混合物は、混合物におけるＨＦＣ／非ＨＦＣ混合物成分の相対濃度が比較的小さく変化しても、沸点が著しく変化する傾向がある。その結果として、わずかに異なるＨＦＣ／非ＨＦＣ混合物でも、著しく異なるスプレー特性を有するスプレー可能な組成物となる。而して、２種以上のＨＦＣ／非ＨＦＣ溶媒の一つの特有な組合せが、任意のスプレー用途における使用に適すると考えられる場合でも、同じ２種以上のＨＦＣ／非ＨＦＣ溶媒（ＨＦＣ／非ＨＦＣ溶媒の相対濃度がほんのわずかに異なっている）の他の組合せは、同じ用途には不適当であるかもしれない。
【０００６】
比較的一定の沸点及び蒸気圧（すなわち、混合物構成成分の相対濃度が変化するとき、比較的小さな程度だけ変化する沸点及び蒸気圧）を有する２種以上のＨＦＣと非ＨＦＣ溶媒との混合物が望ましいことを出願人は理解するようになった。前記混合物の製造では、比較的一定の沸点／蒸気圧により、更に広範な組成物を、任意のスプレー用途で用いることが可能になると考えられる。不都合なことに、そのような比較的一定の沸点及び蒸気圧の特性を有するＨＦＣ／非ＨＦＣ混合物は、まれであるだけでなく、予測できない。
【０００７】
発明の詳細な説明及び好ましい態様
本発明は、比較的一定の沸点及び蒸気圧の特性を示すＨＦＣ組成物を提供することによって、上記欠点を克服する。詳しくは、出願人は、１，１，１，３，３−ペンタフルオロプロパン（“ＨＦＣ−２４５ｆａ”）とトランス−１，２−ジクロロエチレン（“Ｔｒａｎｓ”）とを含む比較的一定の沸点組成物を確認した。
【０００８】
本願明細書中において使用される「比較的一定の沸点を有する組成物」（又は、簡単に言うと「ＲＣＰＢ組成物」）という用語は、２種以上の構成成分を含み、且つ、（１）各構成成分の最高沸点と最低沸点との間にあって、（２）構成成分の相対濃度の任意の変化に関して予期される変化を下回って変化する沸点を有する組成物を指している。第一の沸点特性として、組成物の沸点は、その各構成成分の最高沸点と最低沸点との間にあるので、共沸混合物ではない。（共沸混合物ではない組成物は、それでもなお共沸混合物様であるかもしれないことは理解すべきである）。非共沸組成物として、本発明のＲＣＰＢ組成物は、沸騰中、該組成物のより揮発性の高い成分が蒸発するので、構成成分の相対濃度が変化する。第二の沸点特性として、共沸組成物の沸点は本質的に予測できないが、従来の知識からは、非共沸組成物の沸点は、構成成分の沸点及び組成物におけるそれらの相対濃度に基づいて予測できることが示唆される。しかしながら、出願人は、構成成分の相対濃度の任意の変化に関して、ＲＣＰＢ組成物は、公知の予測技術を用いて予測される変化を下回る沸点変化を示すことを予期外に発見した。
【０００９】
殆どの従来の非共沸組成物に関して、当業者は、多くの公知の技術の一つを用いて、沸点の予想変化を計算できる。おそらく、最も通常のアプローチは、［その両方の内容を本願明細書に引用したものとするＰｒａｕｓｎｉｔｚ，Ｌｉｃｈｔｅｎｔｈａｌｅｒ，Ａｚｅｖｅｄｏ“Ｍｏｌｅｃｕｌａｒ  Ｔｈｅｒｍｏｄｙｎａｍｉｃｓ  ｏｆ  Ｆｌｕｉｄ−Ｐｈａｓｅ  Ｅｑｕｉｌｉｂｒｉａ”，Ｐｒｅｎｔｉｃｅ−Ｈａｌｌ，Ｉｎｃ．（ｓｅｃｏｎｄ  ｅｄｉｔｉｏｎ），ｐｐ．２７９−２９０及びＢａｒｔｏｎ，“ＣＲＣ  Ｈａｎｄｂｏｏｋ  ｏｆ  Ｓｏｌｕｂｉｌｉｔｙ  Ｐａｒａｍｅｔｅｒｓ  ａｎｄ  Ｏｔｈｅｒ  Ｃｏｈｅｓｉｏｎ  Ｐａｒａｍｅｔｅｒｓ”，ＣＲＣ  Ｐｒｅｓｓ，Ｉｎｃ．（Ｆｏｕｒｔｈ  Ｐｒｉｎｔｉｎｇ  １９８８），ｐｐ．２７−３５で示されているような］正則溶液モデルを用いることによるアプローチである。ある範囲の組成物に関して予期される沸点曲線を予測するための別の通常のアプローチは、（その内容を本願明細書に引用したものとするＡｃｒｅｅ，Ｊｒ．，“Ｔｈｅｒｍｏｄｙｎａｍｉｃ  Ｐｒｏｐｅｒｔｉｅｓ  ｏｆ  Ｎｏｎｅｌｅｃｔｒｏｌｙｔｅ  Ｓｏｌｕｔｉｏｎｓ”，Ａｃａｄｅｍｉｃ  Ｐｒｅｓｓ（１９８４）９０−９７，１８０−１８９で示されているような）ウィルソンモデルを用いるアプローチである。説明及び簡略化のために、「予期される」沸点、それらの変化、又はそのためのデータに関する本願明細書におけるいずれの引用も、特に断りがなければ、正則溶液モデル又はウィルソンモデルを用いて計算されていると見なすことができる。
【００１０】
正則溶液モデルは、構成成分（例えば、構成成分Ａ及びＢ）の相対濃度が変化するときに「正則溶液」組成物に関する沸点曲線を予測するために、従来用いられている。Ａ及びＢから成る純粋な組成物に特有な特性データを入力することにより、正則溶液モデル方程式は、構成成分Ａ及びＢの相対濃度が変化する組成物（すなわち、１００重量％Ａ／０重量％Ｂから０重量％Ａ／１００重量％Ｂ）に関する予想沸点を予測するための比較的迅速な方法を提供する。（本願明細書で報告されるすべての重量％は、特に断りが無い場合は、組成物の総重量を基準としている。）一般的に予期されるように、正則溶液として機能する組成物の範囲の沸点曲線は、有意に正の傾きを有する傾向があり、そのことは、前記範囲にわたる組成物が、沸騰又は蒸発時に、有意な液体組成変化を示すことを示唆している。構成成分Ａ及びＢの相対濃度が変化する組成物に関する実際の沸点曲線を実験で測定し且つプロットしたときに、実験データが予想曲線に実質的に一致する場合、その組成物は「正則溶液」である。しかしながら、組成物が、より小さい正の傾き（より平坦な傾き又は０に近い傾き）によって正則溶液モデルから逸脱する実測沸点曲線を示す場合、その範囲内の組成物は、構成成分の相対濃度が変化するとき、沸点は、比較的有意性が低くて且つしばしばほんのわずかな変化のみを示す傾向がある。そのような組成物は、本発明によるＲＣＰＢ組成物を含む。  
【００１１】
ウィルソンモデルは、構成成分Ａ及びＢの相対濃度が変化する組成物（正則溶液として振舞うかもしれないか又は振舞わないかもしれない）に関する沸点を予測するために従来用いられている数学的モデルである。ウィルソンモデルは、純粋なＡ及びＢ成分に関する特性データのみならず、ＡとＢとの混合物に関して既に公知の又は測定された任意の特性データをユーザーが入力できる点において、少なくとも部分的には正則溶液モデルとは異なる。而して、ユーザーが、純粋なＡ及び純粋なＢの間において構成成分Ａ及びＢの相対濃度を有するＡとＢとの混合物のいくつかと関連のある特性データを提供するか又は知っている場合、前記データを、純粋なＡ及び純粋なＢと関連のあるデータと一緒に、ウィルソンモデルに組込んで、構成成分Ａ及びＢの相対濃度が変化する任意の組成物に関する沸点を近似できる。ウィルソンモデルは、正則溶液モデルに比べて、より多くのデータを組込むことができるので、ウィルソンモデルによって予測された曲線はは、正則溶液モデルに比べて傾向としてより正確である。而して、ＡとＢとの混合物の沸点を実験で測定し且つプロットするとき、当業者は、ウィルソンモデルによって予測された沸点のグラフに似ていて且つ同様な傾きを有するグラフが得られることを予期すると考えられる。しかしながら、出願人は、ある種の組成物は、予期されると考えられる傾きよりも小さい正の傾き（より平坦な傾き又は０に近い傾き）を有することによって、ウィルソンモデルからさえも逸脱する沸点曲線を実際に示すことを発見した。そのような組成物は、本発明の目的のＲＣＰＢ組成物を含む。
【００１２】
出願人は、ＨＦＣ−２４５ｆａとＴｒａｎｓとの混合物がＲＣＰＢ組成物を形成することを予期外に認めた。詳しくは、出願人は、本発明組成物に関して実験で測定された沸点曲線が、正則溶液モデル又はウィルソンモデルを用いて予測された沸点曲線の傾きに比べて、予期外に且つ有意に平坦である傾きを有することを認めた。出願人は、上記したような正則溶液及びウィルソンモデルを用いて本発明組成物に関して予想される沸点曲線を計算した。ウィルソンモデル曲線に関して、出願人は、米国特許第６，１００，  ２２９号で提供されているＨＦＣ−２４５ｆａとＴｒａｎｓとを含む共沸組成物（現在クレームされている組成物の範囲外）に関する実験データをウィルソン計算式に組み込んで、更に正確に予想された沸点曲線を提供した。  
【００１３】
図１を参照すると、予想沸点曲線と測定された沸点曲線のプロットとを比較すると、本発明組成物の極めて予期外ではあるが有用である比較的一定の沸点特性が認められる。詳しくは、グラフ１０は、ＨＦＣ−２４５ｆａとＴｒａｎｓとを含む組成物の範囲（０重量％Ｔｒａｎｓ／１００重量％ＨＦＣ−２４５ｆａから１００重量％Ｔｒａｎｓ／０重量％ＨＦＣ−２４５ｆａまで）に関する３つの沸点曲線１１、１２、及び１３を示している。曲線１１は、出願人が実験で測定した実際の沸点曲線である。そのデータは表１に掲げてある。曲線１２は、正則溶液モデルを用いて予測した沸点曲線である。曲線１３は、ウィルソンモデルを用いて予測した沸点曲線である。
【００１４】
図１に示してあるように、測定された沸点曲線１１は、曲線１２又は曲線１３に比べて有意に平坦である。ある種の態様によると、本発明組成物に関する沸点曲線の傾きは、Ｔｒａｎｓ１０重量％につき約１度以下である。好ましくは、傾きは、Ｔｒａｎｓ１０重量％につき約０．７５度以下であり、より更に好ましくはＴｒａｎｓ１０重量％につき約０．６度以下である。  
【００１５】
Ｔｒａｎｓの相対濃度の変化に関する沸点の変化は、予期外に小さいので、本発明組成物の範囲における沸点は比較的一定である。ある種の好ましい態様によると、本発明組成物は、１４．７ｐｓｉａにおいて約１５℃〜約２０℃の沸点を有する。ある種の他の好ましい態様では、本発明組成物は、１４．７ｐｓｉａにおいて約１５℃〜約１９℃の沸点を有し、また、ある種のより更に好ましい態様では、１４．７ｐｓｉａにおいて約１５℃〜約１８℃の沸点を有する。  
【００１６】
更に、本発明組成物中に存在する易燃性Ｔｒａｎｓが比較的大量であるにもかかわらず、出願人は、前記組成物の易燃性が比較的低いことを発見した。出願人は、任意の量の組成物を、室温及び大気圧下において、時計皿に配置し、その時計皿の上に火炎を導入する時計皿燃焼試験で本発明組成物の易燃性を測定し、Ｔｒａｎｓを５０重量％以上ほども含む組成物が難燃性であることを予期外に発見した。同様な試験を、ヒドロフルオロカーボンと、例えばアルカン、アルコール及びエーテルのような易燃性流体とを含む組成物に関して行った。これらの組成物のそれぞれは、易燃性成分が５０重量％以下の濃度で易燃性であることを見出した。
【００１７】
ある種の態様によると、本発明組成物は、１，１，１，３，３−ペンタフルオロプロパンを約２０重量％〜約７５重量％及びトランス−１，２−ジクロロエチレンを約２５重量％〜約８０重量％含む。ある種の好ましい態様では、本発明組成物は、１，１，１，３，３−ペンタフルオロプロパンを約２０重量％〜約７０重量％及びトランス−１，２−ジクロロエチレンを約３０重量％〜約８０重量％含む。更に好ましい態様では、本発明組成物は、１，１，１，３，３−ペンタフルオロプロパンを約２５重量％〜約６５重量％及びトランス−１，２−ジクロロエチレンを約３５重量％〜約７５重量％含み、より更に好ましい態様では、１，１，１，３，３−ペンタフルオロプロパンを約４０重量％〜約６０重量％及びトランス−１，２−ジクロロエチレンを約４０重量％〜約６０重量％含む。
【００１８】
本発明組成物の成分は、例えばＨｏｎｅｙｗｅｌｌから市販されている又は公知の方法によって調製できる公知の材料である。好ましくは、成分は、システムの冷却特性又は加熱特性、一定の沸騰特性、又は発泡剤特性に悪影響を及ぼさない程度には充分に高純度である。  
【００１９】
追加の成分を加えて、必要とされる本発明組成物の特性を調整できる。一例として、本発明組成物を冷媒として用いる場合には、油溶性助剤（ｏｉｌ  ｓｏｌｕｂｉｌｉｔｙ  ａｉｄ）を加えることができる。安定剤及び他の材料を加えて、本発明組成物の特性を向上させることもできる。
【００２０】
組成物の使用
本発明組成物は、広範な用途で有用性を有する。例えば、本発明の一つの態様は、スプレー可能な組成物における噴射剤／溶媒としての本発明組成物の使用に関する。一般的に、スプレー可能なタイプの組成物は、スプレーされる材料（本願明細書では「材料」）と、噴射剤／溶媒又は噴射剤溶媒の混合物とを含む。スプレー可能な組成物が有用であるためには、材料は、用いられる噴射剤／溶媒中で比較的又は実質的に可溶性である必要がある。多くのＨＦＣ単独、例えばＨＦＣ−２４５ｆａは、多くの従来のスプレー可能な材料にとっては貧溶媒であるが、出願人は、本発明組成物が、難燃性を維持しつつ、前記材料に関して比較的高い溶解性を示すことを認めた。
【００２１】
広範な材料の任意のものを、本発明組成物と共に用いて、即時スプレー可能な組成物を製造できる。適当な材料としては、例えば、オイル及び他の潤滑剤、剥離剤、洗浄剤、研磨剤、医薬材料、例えば抗喘息薬及び口臭防止薬、ならびに化粧品材料、例えば消臭剤、芳香剤及びへアスプレーなどが挙げられるが、それらに限定されない。
【００２２】
本発明のスプレー可能な組成物は、スプレー可能な組成物で従来用いられている広範な不活性配合成分、追加の溶媒、及び他の材料の任意のものを含むことができる。
他の態様では、本発明組成物は、広範な冷凍システムの任意のものにおいて冷媒として用いられる。ある種の好ましい態様では、本発明組成物は、ＣＦＣ冷媒、例えば鉱油及びシリコーン油などと一緒に従来から用いられている潤滑剤を含む冷凍システムで用いることができる。ＨＦＣ含有冷媒は従来の冷凍潤滑剤と溶け難い傾向があるので、前記潤滑剤と不相溶な傾向があるが、出願人は、本発明組成物の比較的高い溶解性により、それらを適するものに変えるので、いくつかの場合において、従来の潤滑剤と共に用いるのに理想的な候補であることを認めた。更に、本発明組成物の比較的一定の沸騰性質に起因して、前記冷媒は、多くの用途で冷媒として用いるのにより更に望ましいものとなる。
【００２３】
ある種の態様では、本発明組成物を用いて、ＣＦＣ冷媒と従来の潤滑剤とを含む冷凍システムを改装できる。好ましくは、本発明方法は、（ａ）冷凍システムにおいて潤滑剤の実質的な部分を保持しながら、冷凍システムから塩素含有冷媒を除去する工程；及び（ｂ）本発明組成物を冷凍システムに導入する工程を含む、塩素含有冷媒と潤滑剤とを含む冷凍システムを再充填することを含む。本願明細書中において使用される「実質的な部分」という用語は、塩素含有冷媒を除去する前に冷凍システム中に含まれている潤滑剤量の少なくとも約５０％（重量基準）の潤滑剤量を意味している。好ましくは、本発明にしたがうシステムにおける潤滑剤の実質的な部分は、冷凍システム中に元から含まれている潤滑剤量の少なくとも約６０重量％の量であり、更に好ましくは少なくとも約７０重量％である。ある種の極めて好ましい態様では、「実質的な部分」とは、システム中に存在する潤滑剤の少なくとも約９０重量％、より更に好ましくは少なくとも約９５重量％を含む。本願明細書中において使用される「冷凍システム」という用語は、一般的に、冷却を提供するための冷媒を用いる任意のシステム若しくは装置、又は前記システム若しくは装置の任意の部品又は部分を指している。前記冷凍システムとしては、例えば、空気調和機、電気冷蔵庫、深冷器、輸送冷凍システム、及び市販の冷凍システムなどが挙げられる。
【００２４】
当業者は、本発明方法で用いられる冷凍システムは、一般的に、冷媒及び潤滑剤の両方が含まれるチャンバを含み、そこを通して、冷媒及び潤滑剤を循環させ得ることを認める。本発明のある種の態様によると、除去工程（ａ）は、冷凍システム中に、潤滑剤の実質的な量、好ましくは炭化水素ベースの潤滑剤の実質的な量を残しつつ、冷凍システムから、特に冷凍システム内のチャンバから、塩素含有冷媒を除去することを含む。
【００２５】
広範な公知の方法の任意のものを用いて、冷凍システム中に含まれる潤滑剤の過半部分未満を除去しつつ、冷凍システムから塩素含有冷媒を除去できる。例えば、冷媒は、従来の炭化水素ベースの潤滑剤に比べてかなり揮発性である（冷媒の沸点は一般的に１０℃未満であるのに対して、鉱油の沸点は一般的に２００℃を超える）ので、除去工程は、液状潤滑剤を含む冷凍システムからガス状の塩素含有冷媒をポンピングすることによって容易に行うことができる。前記ガス状態での除去は、冷媒回収システム、例えばＲｏｂｉｎａｉｒ  ｏｆ  Ｏｈｉｏによって製造された回収システムの使用を含む当業において公知の多くの方法の任意の方法で達成できる。別法として、ガス状冷媒が、排気された容器中へと引かれて除去されるように、冷却され排気された冷媒容器を、冷凍システムの低圧側に取付けることができる。更に、冷凍システムに圧縮機を取付けて、冷凍システムから排気された容器へと冷媒をポンピングできる。上記開示を考慮すれば、容易に、当業者は、冷凍システムから塩素含有冷媒を除去することができ、そして、本発明にしたがって、その中に炭化水素ベースの潤滑剤を有していて且つ塩素含有冷媒を実質的に有していないチャンバを含む冷凍システムを提供することができる。  
【００２６】
炭化水素ベースの潤滑剤を含む冷凍システムに冷媒組成物を導入する広範な方法の任意の方法を、本発明で用いることができる。例えば、一つの方法は、冷凍システムの低圧側に冷媒容器を取付ける工程、及び冷凍システム圧縮機を始動させて、冷媒を冷凍システム中へと引き出す工程を含む。前記態様では、冷凍システムに入る冷媒組成物の量がモニターできるような大きさで、冷媒容器を配置できる。別法として、当業者に公知の広範な充填ツールが市販されている。而して、上記開示を考慮すれば、当業者は、必要以上の実験を行わずとも、本発明にしたがって、冷凍システム中へと塩素無含有組成物を容易に導入できる。
【００２７】
更に他の態様では、本発明は、発泡可能な組成物、好ましくはポリウレタンフォーム組成物及びポリイソシアヌレートフォーム組成物と、フォームを調製する方法を提供する。そのようなフォーム態様では、本発明組成物の１種以上が発泡可能な組成物中に発泡剤として含まれる。発泡可能な組成物は、好ましくは、適当な条件下で反応及び発泡して、当業において公知のフォーム又は気泡構造を形成できる１種以上の追加の成分を含む。好ましい方法は、そのような発泡可能な組成物を提供する工程、及びその組成物を、フォーム、好ましくは独立気泡フォームを得るのに有効な条件下で反応させる工程を含む。また、本発明は、本発明組成物を含む発泡剤を含むポリマーフォーム配合物から調製されるフォーム、好ましくは独立気泡フォームにも関する。
【００２８】
その内容を本願明細書に引用したものとする“Ｐｏｌｙｕｒｅｔｈａｎｅｓ  Ｃｈｅｍｉｓｔｒｙ  ａｎｄ  Ｔｅｃｈｎｏｌｏｇｙ，”Ｖｏｌｕｍｅｓ  Ｉ  ａｎｄ  ＩＩ，Ｓａｕｎｄｅｒｓ  ａｎｄ  Ｆｒｉｓｃｈ，１９６２，Ｊｏｈｎ  Ｗｉｌｅｙ  ａｎｄ  Ｓｏｎｓ，Ｎｅｗ  Ｙｏｒｋ，ＮＹで説明されているような当業において公知の方法の任意の方法を、本発明のフォーム態様にしたがって用いることができるか又は用いるために適合させることができる。一般的に、上記の好ましい方法は、イソシアネート、ポリオール又はポリオールの混合物、本発明組成物の１種以上を含む発泡剤又は発泡剤の混合物、及び他の材料、例えば触媒、界面活性剤、及び、任意に、難燃剤、発色剤、又は他の添加剤を組合せることによって、ポリウレタンフォーム又はポリイソシアヌレートフォームを調製する工程を含む。ポリウレタンフォーム又はポリイソシアヌレートフォームのための成分を、プレブレンドされた配合物として提供することは、多くの用途で有利である。最も典型的には、フォーム配合物は、２つの成分中にプレブレンドされる。イソシアネート及び任意のある種の界面活性剤及び発泡剤は、一般的に「Ａ」成分と呼ぶ第一成分を含む。ポリオール又はポリオール混合物、界面活性剤、触媒、発泡剤、難燃剤、及び他のイソシアネート反応性成分は、一般的に「Ｂ」成分と呼ぶ第二成分を含む。而して、ポリウレタンフォーム又はポリイソシアヌレートフォームは、少量を調製するための手動混合によって、好ましくは、ブロック、スラブ、ラミネート、その場鋳込パネル（ｐｏｕｒ−ｉｎ−ｐｌａｃｅ  ｐａｎｅｌ）、及び他の成形品、スプレー付与フォーム（ｓｐｒａｙ  ａｐｐｌｉｅｄ  ｆｏａｍ）、及びフロスなどを形成するための機械混合技術によって、Ａ副成分及びＢ副成分を一緒にすることによって、容易に調製される。他の配合成分、例えば難燃剤、着色剤、補助発泡剤（ａｕｘｉｌｉａｒｙ  ｂｌｏｗｉｎｇ  ａｇｅｎｔ）、及び他のポリオールも、第三流として、混合頭部又は反応部位に加えることができる。しかしながら、最も都合の良いことには、全てそれらは、上記したように一つのＢ成分中に混和される。
【００２９】
分散剤、気泡安定剤、及び界面活性剤を、発泡剤混合物中に混和することもできる。シリコーン油として良く知られている界面活性剤を加えて、気泡安定剤として機能させる。いくつかの代表的な材料は、例えば、ＤＣ−１９３、Ｂ−８４０４及びＬ−５３４０の商品名でＤｏｗ  Ｃｏｒｎｉｎｇ，Ｇｏｌｄｓｃｈｍｉｄｔ及びＵｎｉｃａｒ  Ｃｏ．から市販されており、一般的には、米国特許第２，８３４，７４８号、第２，９１７，４８０号、及び第２，８４６，４５８号で開示されているようなポリシロキサンポリオキシアルキレンブロックコポリマーである。発泡剤混合物のための他の任意の添加剤としては、難燃剤、例えばトリ（２−クロロエチル）ホスフェート、トリ（２−クロロプロピル）ホスフェート、トリ（２，３−ジブロモプロピル）−ホスフェート、トリ（１，３−ジクロロプロピル）ホスフェート、ジアンモニウムホスフェート、様々なハロゲン化芳香族化合物、酸化アンチモン、アルミニウム三水和物、及びポリビニルクロリドなどが挙げられる。
【００３０】
一般的に言えば、ブレンド混合物中に存在する発泡剤の量は、最終のポリウレタンフォーム生成物又はポリイソシアヌレートフォーム生成物の望ましいフォーム密度によって決定される。発泡剤又は発泡剤ブレンドの総量の重量部の割合は、ポリオール１００部につき発泡剤１〜約６０部の範囲内であることができる。好ましくは、ポリオール１００重量部につき本発明組成物を約１０重量部〜約３５重量部用いる。  
【００３１】
（実施例）
本発明は、以下の非限定的な実施例によって更に完全に説明される。
実施例１
頂部に凝縮器を有する真空ジャケット付チューブから成る沸点測定装置に、ＨＦＣ−２４５ｆａを約５ｇ入れる。ＨＦＣ−２４５ｆａを沸騰するまで加熱し、その温度を記録する。次に、ＨＦＣ−２４５ｆａを冷却し、そこに、Ｔｒａｎｓを少量ずつ（ｓｍａｌｌ  ｍｅａｓｕｒｅｄ  ｉｎｃｒｅｍｅｎｔｓ）加える。Ｔｒａｎｓの各添加後に、その混合物を沸騰させ、その温度を、添加されたＴｒａｎｓの関数として記録する。表１には沸点が掲げてある。表１に示されているように、沸点は、本発明組成物の全範囲にわたって約５℃以下だけ変化した。
【００３２】
【表１】
2005520884.tif 000003
【００３３】
実施例２
本発明の既に説明した態様では、定沸点組成物は、例えば潤滑剤のような他の材料とブレンドして、スプレー可能な混合物を形成できると考えられる。好ましくは、それらはエアゾールであると考えられる。そのようなスプレー可能な混合物を配合する場合、スプレーされる材料は、溶媒／噴射剤中に混和性であることがしばしば必要又は望ましい。本発明組成物における様々な潤滑剤の混和性に関しては次のようにして評価した。透明なガラスを、試験しようとする溶媒混合物で充填し、混合物の重量を測定した。混合物の１０重量％に相当する量の潤滑剤を加えた。そのガラス瓶を密封し、穏やかに振盪し、混合物を観察した。濁り及び／又は２つの明確な相の存在は、潤滑剤が溶媒に不溶性であることを示している。単一相で均質なシステムは混和性を示している。試験は、純粋なＨＦＣ−２４５ｆａと、ＨＦＣ−２４５ｆａ／Ｔｒａｎｓの３つの異なる定沸点組成物を用いて行った。これらの組成物は、それぞれ、Ｔｒａｎｓを１３重量％、３５重量％、及び５０重量％含んでいた。試験される潤滑剤は、鉱油、Ａｌｄｒｉｃｈシリコーン油、Ｓｕｎｉｓｃｏ  ３ＧＳ（冷凍潤滑剤）及びＯａｋ７Ｂ１プロセス油であった。これらの材料は純粋なＨＦＣ−２４５ｆａ中にはどれも溶解しない。Ｔｒａｎｓを１３％含む組成物は、鉱油を可溶化するが、他の潤滑剤は可溶化しない。Ｔｒａｎｓ３５％において、ブレンドは、シリコーン油及びＳｕｎｉｓｃｏ  ３ＧＳを可溶化するが、Ｏａｋプロセス油は可溶化しない。Ｔｒａｎｓ５０％では、試験された潤滑剤のすべてが可溶性である。これらのデータは表２に要約してある。
【００３４】
【表２】
2005520884.tif 000004
【図面の簡単な説明】
【００３５】
【図１】ＨＦＣ−２４５ｆａとＴｒａｎｓとを含む組成物の範囲（０重量％Ｔｒａｎｓ／１００重量％ＨＦＣ−２４５ｆａから１００重量％Ｔｒａｎｓ／０重量％ＨＦＣ−２４５ｆａまで）に関する３つの沸点曲線１１、１２、及び１３を示しているグラフである。
【図１】
2005520884.tif 000005
【国際調査報告】
2005520884.tif 000006
2005520884.tif 000007